(57)【要約】【課題】  本発明は、ユーザの希望に応じて鏡面状態の設定を変更することが可能な電子機器およびその表示制御方法を提供する。【解決手段】  ユーザにより鏡面設定画面の表示が指示されると、ＬＣＤ６に鏡面設定画面を表示する。ユーザにより、電子機器の状態変化毎に鏡面に関するモードが選択されると、鏡面設定部４０２は、設定テーブル４０１に記録された設定内容とを比較して、変更がある場合には、設定テーブル４０１を変更された内容に従って設定内容を書き換えて、一連の処理を終了する。【選択図】  図９
2006154550.tif 000002
【特許請求の範囲】
【請求項１】
画像を表示する第１の表示形態と、外光を反射して鏡面状態とする第２の表示形態とを有する表示部と、
上記第１の表示形態から上記第２の表示形態への変更を指示する第１の指示手段と、
外部からの指示に基づき上記第１の指示手段から第２の指示手段に変更する変更手段と、
この変更手段による変更前は上記第１の指示手段により指示された場合、あるいは上記変更手段による変更後は上記第２の指示手段により指示された場合、上記表示部を上記第１の表示形態から上記第２の表示形態へ変更するよう制御する制御手段と、
を有することを特徴とする電子機器。
【請求項２】
画像を表示する第１の表示形態と、この第１の表示形態の一部分を外光を反射して鏡面状態とした第３の表示形態とを有する表示部と、
上記第１の表示形態から上記第３の表示形態への変更を指示する第１の指示手段と、
外部からの指示に基づき上記第１の指示手段から第２の指示手段に変更する変更手段と、
この変更手段による変更前は上記第１の指示手段により指示された場合に、上記変更手段による変更後は上記第２の指示手段により指示された場合、上記表示部を上記第１の表示形態から上記第３の表示形態へ変更するよう制御する制御手段と、
を有することを特徴とする電子機器。
【請求項３】
ユーザにより操作可能な入力部と、
この入力部からの入力に基づき、上記表示部における上記第３の表示形態の鏡面状態となる部分の位置を変更する位置変更手段と、
を有することを特徴とする請求項２記載の電子機器。
【請求項４】
ユーザにより操作可能な入力部と、
この入力部からの入力に基づき、上記表示部における上記第３の表示形態の鏡面状態となる部分の大きさを変更する大きさ変更手段と、
を有することを特徴とする請求項２記載の電子機器。
【請求項５】
ユーザにより操作可能な入力部を有する電子機器において、
画像を表示する第１の表示形態と、外光を反射して鏡面状態とする第２の表示形態とを有する表示部と、
上記入力部を介して当該電子機器の状態に応じて上記第２の表示形態とするか否かを登録する登録手段と、
当該電子機器の状態に応じて上記登録手段に登録された表示形態に変更するよう制御する制御手段と、
を有することを特徴とする電子機器。
【請求項６】
ユーザにより操作可能な入力部を有する電子機器において、
画像を表示する第１の表示形態と、上記第１の表示形態の一部分を外光を反射して鏡面状態とした第３の表示形態とを有する表示部と、
上記入力部を介して当該電子機器の状態に応じて上記第３の表示形態とするか否かを登録する登録手段と、
当該電子機器の状態に応じて上記登録手段に登録された表示形態に変更するよう制御する制御手段と、
を有することを特徴とする電子機器。
【請求項７】
ユーザにより操作可能な入力部を有する電子機器において、
画像を表示する第１の表示形態と、外光を反射して鏡面状態とする第２の表示形態と、上記第１の表示形態の一部分を外光を反射して鏡面状態とした第３の表示形態とを有する表示部と、
当該電子機器の状態に応じて上記第２又は第３の表示形態のうち上記入力部を介して選択されたいずれかの形態を登録する登録手段と、
当該電子機器の状態に応じて上記登録手段に登録された表示形態に変更するよう制御する制御手段と、
を有することを特徴とする電子機器。
【請求項８】
上記制御手段は、上記入力部からの入力がない状態が予め設定された時間を経過した場合、当該電子機器の状態に応じて、上記登録手段に登録された表示形態に変更するよう制御することを特徴する請求項５乃至請求項７のいずれか記載の電子機器。
【請求項９】
上記制御手段は、
当該電子機器の状態が変化するイベント信号を検知する検知手段と、
この検知手段によりイベント信号が検知されると、上記登録手段にて上記検知されたイベント信号に対応する表示形態に変更するよう制御する表示制御手段と、
を有することを特徴とする請求項５乃至請求項７のいずれか記載の電子機器。
【請求項１０】
ユーザにより操作可能な入力部を有する電子機器において、
画像を表示する第１の表示形態と、外光を反射して鏡面状態とする第２の表示形態とを有する表示部と、
上記入力部を介して当該電子機器のスクリーンセイバーの状態時に上記第２の表示形態とするか否かを登録する登録手段と、
当該電子機器がスクリーンセイバーの状態となった場合に上記登録手段に登録された表示形態に変更するよう制御する制御手段と、
を有することを特徴とする電子機器。
【請求項１１】
ユーザにより操作可能な入力部と、画像を表示する第１の表示形態と、外光を反射して鏡面状態とする第２の表示形態とを有する表示部とを有する電子機器の表示制御方法において、
上記第１の表示形態から上記第２の表示形態への変更を指示する第１の指示手段により指示されると、上記表示部を上記第１の表示形態から上記第２の表示形態へ変更するよう制御するステップと、
上記入力部からの入力に基づき上記第１の指示手段から第２の指示手段に変更するステップと、
この変更ステップによる変更後に上記第２の指示手段により指示されると、上記表示部を上記第１の表示形態から上記第２の表示形態へ変更するよう制御するステップと、
を有することを特徴とする表示制御方法。
【請求項１２】
ユーザにより操作可能な入力部と、画像を表示する第１の表示形態と、この第１の表示形態の一部分を外光を反射して鏡面状態とした第３の表示形態とを有する表示部とを有する電子機器の表示制御方法において、
上記第１の表示形態から上記第３表示形態への変更を指示する第１の指示手段により指示されると、上記表示部を上記第１の表示形態から上記第３の表示形態へ変更するよう制御するステップと、
上記入力部からの入力に基づき上記第１の指示手段から第２の指示手段に変更するステップと、
この変更ステップによる変更後に上記第２の指示手段により指示されると、上記表示部を上記第１の表示形態から上記第３の表示形態へ変更するよう制御するステップと、
を有することを特徴とする表示制御方法。
【請求項１３】
上記第１あるいは第２の制御ステップにより上記表示部が第３の表示形態である場合に、上記入力部からの入力に基づき、上記表示部における上記第３の表示形態の鏡面状態となる部分の位置を変更するステップと、
を有することを特徴とする請求項１２記載の表示制御方法。
【請求項１４】
上記第１あるいは第２の制御ステップにより上記表示部が第３の表示形態である場合に、上記入力部からの入力に基づき、上記表示部における上記第３の表示形態の鏡面状態となる部分の大きさを変更するステップと、
を有することを特徴とする請求項１２記載の表示制御方法。
【請求項１５】
ユーザにより操作可能な入力部と、画像を表示する第１の表示形態と、外光を反射して鏡面状態とする第２の表示形態とを有する表示部とを有する電子機器の表示制御方法において、
上記入力部を介して当該電子機器の状態に応じて上記第２の表示形態とするか否かを登録するステップと、
当該電子機器の状態に応じて上記登録ステップで登録された表示形態に変更するよう制御するステップと、
を有することを特徴とする表示制御方法。
【請求項１６】
ユーザにより操作可能な入力部と、画像を表示する第１の表示形態と、この第１の表示形態の一部分を外光を反射して鏡面状態とした第３の表示形態とを有する表示部とを有する電子機器の表示制御方法において、
上記入力部を介して当該電子機器の状態に応じて上記第３の表示形態とするか否かを登録するステップと、
当該電子機器の状態に応じて上記登録ステップに登録された表示形態に変更するよう制御するステップと、
を有することを特徴とする表示制御方法。
【請求項１７】
ユーザにより操作可能な入力部と、  画像を表示する第１の表示形態と外光を反射して鏡面状態とする第２の表示形態と、上記第１の表示形態の一部分を外光を反射して鏡面状態とした第３の表示形態とを有する表示部とを有する電子機器の表示制御方法において、
当該電子機器の状態に応じて上記第２又は第３の表示形態のうち上記入力部を介して選択されたいずれかの形態を登録するステップと、
当該電子機器の状態に応じて上記登録ステップに登録された表示形態に変更するよう制御するステップと、
を有することを特徴とする表示制御方法。
【請求項１８】
上記制御ステップは、上記入力部からの入力がない状態が予め設定された時間を経過した場合、当該電子機器の状態に応じて、上記登録ステップに登録された表示形態に変更するよう制御することを特徴する請求項１５乃至請求項１７のいずれか記載の表示制御方法。
【請求項１９】
ユーザにより操作可能な入力部と、画像を表示する第１の表示形態と、この第１の表示形態の一部分を外光を反射して鏡面状態とした第３の表示形態とを有する表示部とを有する電子機器の表示制御方法において、
上記入力部を介して当該電子機器のスクリーンセイバーの状態時に上記第２の表示形態とするか否かを登録するステップと、
当該電子機器がスクリーンセイバーの状態となった場合に上記登録手段に登録された表示形態に変更するよう制御するステップと、
を有することを特徴とする表示制御方法。
【発明の詳細な説明】
【技術分野】
【０００１】
本発明は、画像表示画面の少なくとも一部を鏡面状態に変更可能な表示部を有する電子機器に関し、ユーザの希望に応じて鏡面状態の設定を変更することが可能な電子機器およびその表示制御方法に関する。
【背景技術】
【０００２】
近年、画像を表示する状態と、人が自分の顔や姿を映して観察するのに適した鏡状態とに表示エリアの一部あるいは全部において切り替え可能な表示装置を有する携帯電話装置が考えられており、装置全体のＯＮ／ＯＦＦ動作や切替スイッチによって情報表示状態と鏡状態とを切り替えたり、着信により鏡状態から情報表示状態へと切り替えたりする点が開示されている（例えば、特許文献１参照）。
【特許文献１】特開２００１−３１８３７４公報（１７頁、３０頁、３１頁、図３８、図３９）
【発明の開示】
【発明が解決しようとする課題】
【０００３】
しかしながら、従来の装置では、切り替えられる鏡状態はその大きさや位置が予め設定されており、ユーザの希望に応じて変更するようなカスタマイズ可能な鏡状態の構成については何ら考慮されていない。
本発明は、以上の点に鑑みなされたもので、ユーザの希望に応じて鏡面状態の設定を変更することが可能な電子機器およびその表示制御方法を提供することを目的とする。
【課題を解決するための手段】
【０００４】
上記目的を達成するために、本発明の電子機器は、画像を表示する第１の表示形態と、外光を反射して鏡面状態とする第２の表示形態とを有する表示部と、上記第１の表示形態から上記第２の表示形態への変更を指示する第１の指示手段と、外部からの指示に基づき上記第１の指示手段から第２の指示手段に変更する変更手段と、この変更手段による変更前は上記第１の指示手段により指示された場合、あるいは上記変更手段による変更後は上記第２の指示手段により指示された場合、上記表示部を上記第１の表示形態から上記第２の表示形態へ変更するよう制御する制御手段と、を有することを特徴とする。
【０００５】
上記目的を達成するために、本発明の電子機器は、画像を表示する第１の表示形態と、この第１の表示形態の一部分を外光を反射して鏡面状態とした第３の表示形態とを有する表示部と、上記第１の表示形態から上記第３の表示形態への変更を指示する第１の指示手段と、外部からの指示に基づき上記第１の指示手段から第２の指示手段に変更する変更手段と、この変更手段による変更前は上記第１の指示手段により指示された場合に、上記変更手段による変更後は上記第２の指示手段により指示された場合、上記表示部を上記第１の表示形態から上記第３の表示形態へ変更するよう制御する制御手段と、を有することを特徴とする。
【０００６】
上記目的を達成するために、本発明の電子機器は、ユーザにより操作可能な入力部を有する電子機器において、画像を表示する第１の表示形態と、外光を反射して鏡面状態とする第２の表示形態とを有する表示部と、上記入力部を介して当該電子機器の状態に応じて上記第２の表示形態とするか否かを登録する登録手段と、当該電子機器の状態に応じて上記登録手段に登録された表示形態に変更するよう制御する制御手段と、を有することを特徴とする。
【０００７】
上記目的を達成するために、本発明の電子機器は、ユーザにより操作可能な入力部を有する電子機器において、画像を表示する第１の表示形態と、上記第１の表示形態の一部分を外光を反射して鏡面状態とした第３の表示形態とを有する表示部と、上記入力部を介して当該電子機器の状態に応じて上記第３の表示形態とするか否かを登録する登録手段と、当該電子機器の状態に応じて上記登録手段に登録された表示形態に変更するよう制御する制御手段と、を有することを特徴とする。
【０００８】
上記目的を達成するために、本発明の電子機器は、ユーザにより操作可能な入力部を有する電子機器において、画像を表示する第１の表示形態と、外光を反射して鏡面状態とする第２の表示形態と、上記第１の表示形態の一部分を外光を反射して鏡面状態とした第３の表示形態とを有する表示部と、当該電子機器の状態に応じて上記第２又は第３の表示形態のうち上記入力部を介して選択されたいずれかの形態を登録する登録手段と、当該電子機器の状態に応じて上記登録手段に登録された表示形態に変更するよう制御する制御手段と、を有することを特徴とする。
【０００９】
上記目的を達成するために、本発明の電子機器は、ユーザにより操作可能な入力部を有する電子機器において、画像を表示する第１の表示形態と、外光を反射して鏡面状態とする第２の表示形態とを有する表示部と、上記入力部を介して当該電子機器のスクリーンセイバーの状態時に上記第２の表示形態とするか否かを登録する登録手段と、当該電子機器がスクリーンセイバーの状態となった場合に上記登録手段に登録された表示形態に変更するよう制御する制御手段と、を有することを特徴とする。
【００１０】
上記目的を達成するために、本発明の表示制御方法は、ユーザにより操作可能な入力部と、画像を表示する第１の表示形態と、外光を反射して鏡面状態とする第２の表示形態とを有する表示部とを有する電子機器の表示制御方法において、上記第１の表示形態から上記第２の表示形態への変更を指示する第１の指示手段により指示されると、上記表示部を上記第１の表示形態から上記第２の表示形態へ変更するよう制御するステップと、上記入力部からの入力に基づき上記第１の指示手段から第２の指示手段に変更するステップと、この変更ステップによる変更後に上記第２の指示手段により指示されると、上記表示部を上記第１の表示形態から上記第２の表示形態へ変更するよう制御するステップと、を有することを特徴とする。
【００１１】
上記目的を達成するために、本発明の表示制御方法は、ユーザにより操作可能な入力部と、画像を表示する第１の表示形態と、この第１の表示形態の一部分を外光を反射して鏡面状態とした第３の表示形態とを有する表示部とを有する電子機器の表示制御方法において、上記第１の表示形態から上記第３表示形態への変更を指示する第１の指示手段により指示されると、上記表示部を上記第１の表示形態から上記第３の表示形態へ変更するよう制御するステップと、上記入力部からの入力に基づき上記第１の指示手段から第２の指示手段に変更するステップと、この変更ステップによる変更後に上記第２の指示手段により指示されると、上記表示部を上記第１の表示形態から上記第３の表示形態へ変更するよう制御するステップと、を有することを特徴とする。
【００１２】
上記目的を達成するために、本発明の表示制御方法は、ユーザにより操作可能な入力部と、画像を表示する第１の表示形態と、外光を反射して鏡面状態とする第２の表示形態とを有する表示部とを有する電子機器の表示制御方法において、上記入力部を介して当該電子機器の状態に応じて上記第２の表示形態とするか否かを登録するステップと、当該電子機器の状態に応じて上記登録ステップで登録された表示形態に変更するよう制御するステップと、を有することを特徴とする。
【００１３】
上記目的を達成するために、本発明の表示制御方法は、ユーザにより操作可能な入力部と、画像を表示する第１の表示形態と、この第１の表示形態の一部分を外光を反射して鏡面状態とした第３の表示形態とを有する表示部とを有する電子機器の表示制御方法において、上記入力部を介して当該電子機器の状態に応じて上記第３の表示形態とするか否かを登録するステップと、当該電子機器の状態に応じて上記登録ステップに登録された表示形態に変更するよう制御するステップと、を有することを特徴とする。
【００１４】
上記目的を達成するために、本発明の表示制御方法は、ユーザにより操作可能な入力部と、  画像を表示する第１の表示形態と外光を反射して鏡面状態とする第２の表示形態と、上記第１の表示形態の一部分を外光を反射して鏡面状態とした第３の表示形態とを有する表示部とを有する電子機器の表示制御方法において、当該電子機器の状態に応じて上記第２又は第３の表示形態のうち上記入力部を介して選択されたいずれかの形態を登録するステップと、当該電子機器の状態に応じて上記登録ステップに登録された表示形態に変更するよう制御するステップと、を有することを特徴とする。
【００１５】
上記目的を達成するために、本発明の表示制御方法は、ユーザにより操作可能な入力部と、画像を表示する第１の表示形態と、この第１の表示形態の一部分を外光を反射して鏡面状態とした第３の表示形態とを有する表示部とを有する電子機器の表示制御方法において、上記入力部を介して当該電子機器のスクリーンセイバーの状態時に上記第２の表示形態とするか否かを登録するステップと、当該電子機器がスクリーンセイバーの状態となった場合に上記登録手段に登録された表示形態に変更するよう制御するステップと、を有することを特徴とする。
【発明の効果】
【００１６】
本発明によれば、ユーザの希望に応じて鏡面状態の設定を変更することができる。
【発明を実施するための最良の形態】
【００１７】
以下、この発明の実施の形態について、図面を参照して詳細に説明する。図１および図２は、本実施の形態に係る電子機器の斜視図である。図１はノート型パーソナルコンピュータＡ（以下ノート型パソコンと称す）を示し、図２はＰＤＡ装置Ｂ（Ｐｅｒｓｏｎａｌ  Ｄｉｇｉｔａｌ  Ａｓｓｉｓｔａｎｔｓ）を示す。尚、図１および図２において、同機能の部分には同じ番号を付与している。
【００１８】
図１に示すノート型パソコンＡの本体１は、樹脂製の上ケース２および樹脂製の下ケース３を有している。本体１の上面にはキーボード９が搭載されている。本体１の上面前部（キーボード９の前側）はユーザーがキーボード９へのデータ入力の際に掌を置くためのアームレスト７が形成される。本体１の後部には一対のヒンジ部５ａ、５ｂを介して表示装置４が開位置と閉位置との間を回動自在に接続されている。
【００１９】
表示装置４にはデータを表示するための高解像度の液晶ディスプレイ（以下ＬＣＤと略す）６が組み込まれている。また、ノート型パソコンＡの本体１の奥手側には、本パソコンＡの電源をオン／オフするためのパワーボタン１１と、主表示装置４の開閉を検知する開閉検知部１２が設けられており、アームレスト７のほぼ中央部には、ポインティングデバイス２０が配置されている。
【００２０】
図２に示すＰＤＡ装置Ｂの本体１は、樹脂製の上ケース２と下ケース３とを有している。本体１の上面には、データを表示するための表示装置４を有する表示装置４が組み込まれている。尚、ＰＤＡ装置Ｂの場合には表示部６は入力部の機能も有する。本体１の上面には、更にユーザにより選択／指示入力されるカーソルボタンと操作ボタン９（２０）が設けられている。
【００２１】
本実施の形態では、表示装置４は、画像を表示する表示機能と、表示画面の一部あるいは全部（全面）を鏡面状態とする鏡面機能とを有する表示部である。そして、後述する登録（設定）処理により設定された内容に従って、表示装置４は、ノート型パソコンＡの状態に応じて、図１に示す画像表示状態３０と、図３に示す全面鏡面３１とした状態、あるいは図４に示す部分的に鏡面とした鏡面ウィンドウ３２とした状態とに、自動的に切り替えることができる。
【００２２】
また、本実施の形態では、表示装置４にて画像表示状態３０の最中に図４に示す鏡面ウィンドウ３２を表示させるための起動ボタンを、後述する変更（設定）処理によりユーザが所望するボタンに変更することができる。
【００２３】
本実施の形態では、上記いずれの装置においても適用することが可能であり、更には上記携帯型装置だけでなく、据え置きタイプの電子機器にも有効である。以下、代表して図１に示すノート型パソコンＡを用いて説明していくこととする。
【００２４】
図５は、図１に示すノート型パソコンＡのシステム構成を示すブロック図である。このノート型パソコンＡは、図示するように、ＣＰＵ２０１、ホストブリッジ２０２、主メモリ２０３、表示コントローラ２０４、ＰＣＩ−ＩＳＡブリッジ２０６、Ｉ／Ｏコントローラ２０７、ハードディスクドライブ（ＨＤＤ）２０８、ＣＤ−ＲＯＭドライブ２０９、ＵＳＢコントローラ２１０、エンベデッドコントローラ／キーボードコントローラＩＣ（ＥＣ／ＫＢＣ）２１１、電源コントローラ２１３、及びＢＩＯＳ−ＲＯＭ２１５等が設けられている。
【００２５】
ＣＰＵ２０1は、ノート型パソコンＡの動作を制御するために設けられたもので、ＨＤＤ２０８から主メモリ２０３にロードされたオペレーションシステムおよびアプリケーションプログラム／後述する制御プログラム３００、更に後述する表示制御に関するプログラムを実行する。ホストブリッジ２０２は、ＣＰＵ２０１のローカルバスとＰＣＩバス１００との間を双方向で接続するブリッジデバイスである。表示コントローラ２０４は本パソコンＡの表示装置４を制御する。
【００２６】
Ｉ／Ｏコントローラ２０７はＨＤＤ２０８、ＣＤ−ＲＯＭ２０９等を制御する。ＰＣＩ−ＩＳＡブリッジ２０６はＰＣＩバス１００とＩＳＡバス２００を双方向で接続するブリッジデバイスであり、ここには例えばシステムタイマ、ＤＭＡコントローラ、割り込みコントローラなどの各種システムデバイスも内蔵されている。ＵＳＢコントローラ２１０には、上述したポインティングデバイス２０が接続されている。このポインティングデバイス２０は、タッチパッドと、レフト（左）ボタン、ライト（右）ボタン及びミドル（中）ボタンから構成される。
【００２７】
ＥＣ／ＫＢＣ２１１は、電力管理のためのエンベデッドコントローラ（ＥＣ）とキーボード９を制御するためのキーボードコントローラ（ＫＢＣ）とが集積された１チップマイクロコンピュータである。このＥＣ／ＫＢＣ２１１は、電源コントローラ２１３と協同して、ユーザによるパワーボタン１１の操作に応じて本パソコンＡをパワーオン／パワーオフする機能を有している。また、開閉検知部１２からの検出信号に基いて、電源コントローラ２１３と協同して、表示装置４等の電力供給を制御する機能を有している。
【００２８】
ＢＩＯＳ−ＲＯＭ２１５には、ＢＩＯＳが格納されている。このＢＩＯＳは本システム内のハードウェアコンポーネントを制御するためのプログラムである。このＢＩＯＳには、システムタイマから時間情報を読み取る機能などが含まれている。
【００２９】
図６は、主要部における表示制御の動作を説明するプログラム構成図である。制御プログラム３００は、表示装置４と表示コントローラ２０４、タッチパッド２０とＵＳＢコントローラ２１０、ＥＣ／ＫＢＣ２１１、および鏡面制御部４００と各種信号を送受することにより、装置Ａ全体を制御している。鏡面制御部４００は、設定テーブル４０１、鏡面設定部４０２、鏡面イベント判別部４０３、および鏡面制御プログラム４０４とから構成されている。
【００３０】
設定テーブル４０１は、電子機器の状態変化毎に設定された鏡面に関するモードを記録しており、鏡面設定部４０２により各種登録が行われ、鏡面イベント判別部４０３により読み出されるようになっている。
【００３１】
本実施例では、電子機器の状態変化として、スクリーンセーバー、スタンバイおよびハイバネーションの３種類のステータスを例示して説明する。スクリーンセーバーのステータスは、ＬＣＤ６の焼き付けを防止するため、一定時間アクセスがない場合に、ＬＣＤ６を真っ暗な画面にしたり、動画を表示する状態である。
【００３２】
スタンバイのステータスは、消費電力を低減するため、一定時間アクセスがない場合に、主メモリ２０３に作業内容を格納したまま、ＨＤＤ２０８やＬＣＤ６等の電子機器の電力消費を最小限まで落とした状態で、パワーボタン１１やキーボード９のキーを押すことで再起動され、スタンバイ直前の状態から作業が続けられる。ハイバネーションのステータスは、省電力モードに移る前に、主メモリ２０３の内容をＨＤＤ２０８に格納し、殆どの電源を切った状態で、スタンバイのステータスよりも、主メモリ２０３等のバッテリバックアップしなくて良い。
【００３３】
また、本実施例では、鏡面に関するモードとして、ノンミラーモード、ミラーウィンドウモードおよび全面ミラーモードの３種類を例示して説明する。ノンミラーモードは、表示装置４に鏡面画面を表示しないモードである。ミラーウィンドウモードは、表示装置４のＬＣＤ６領域のうち部分的に鏡面状態とし、鏡面ウィンドウ３２を表示するモードである。全面ミラーモードは、表示装置４のＬＣＤ６領域全面を鏡面状態とするモードである。
【００３４】
本実施例では、設定テーブル４０１は、図７に示すように、ノート型パソコンＡのステータスが、「スタンバイ」に移行した場合には「ミラーウィンドウモード」となるよう登録され、「ハイバネーション」に移行した場合には「ノンミラーモード」となるよう登録され、「スクリーンセーバー」に移行した場合には「全面ミラーモード」となるよう登録されている。また、設定テーブル４０１では、鏡面ウィンドウ３２を起動するためのキー情報と、鏡面ウィンドウ３２のウィンドウサイズとＬＣＤ６の表示領域における表示位置も格納されている。
【００３５】
鏡面設定部４０２は、制御プログラム３００を介して、ユーザにより鏡面設定画面の表示が指示されたと検知すると、グラフィックコントローラ２０４を介して表示装置４に、図８に示す鏡面設定画面を表示する。そして、鏡面設定部４０２は、この表示された鏡面設定画面に基づいて、ユーザによってノート型パソコンＡのステータス毎にミラーウィンドウ／ノンミラー／全面ミラーのいずれかのモードに選択されると、選択内容を設定テーブル４０１に記録する。
【００３６】
本実施例では、図８に示す鏡面設定画面は、ステータス選択リスト４１、モード選択リスト４２、起動設定入力ボックス４３、［起動方法変更］ボタン４４、［適用］ボタン４５、［キャンセル］ボタン４６、および［ＯＫ］ボタン４７が配置されている。
【００３７】
ステータス選択リスト４１は、「スタンバイ」「ハイバネーション」「スクリーンセーバー」の３つのステータスからいずれか１つを選択するようになっている。モード選択リスト４２は、「全面」「ウィンドウ表示」の２つのモードのいずれか１つを選択するか、いずれも選択しないノンミラーモードを選択するようになっている。起動設定入力ボックス４３は、鏡面ウィンドウ３２の起動を指示するためユーザが希望する入力キーを入力するボックスで、［起動方法変更］ボタン４４をクリックすることにより、設定テーブル４０１に入力されたキー情報が登録される。
【００３８】
また、鏡面設定部４０２は、制御プログラム３００を介してユーザによる入力指示を検知し、表示装置４に表示された鏡面ウィンドウ３２のウィンドウサイズや位置が変更されると、その変更情報を設定テーブル４０１に記録する。また、鏡面設定部４０２は、制御プログラム３００を介して起動方法として設定テーブル４０１に設定された入力キーの信号を検知し、鏡面イベント判別部４０３に鏡面ウィンドウ３２の起動キーが入力された旨を通知する。
【００３９】
鏡面イベント判別部４０３は、制御プログラム３００を介して「スタンバイ」「ハイバネーション」「スクリーンセーバー」のステータス変化を含む、ノート型パソコンＡのイベントの発生（状況の変化）を検知して、設定テーブル４０１を参照し、検知した発生イベントの中から、鏡面状態への移行が設定されたイベントの発生を判別する。
【００４０】
鏡面イベント判別部４０３は、鏡面状態への移行が設定されたイベントの発生を検知すると、鏡面制御プログラム４０４に対して、設定テーブル４０１に登録された検知イベントに対応するステータスの登録内容とともに、表示装置４に鏡面表示するよう通知する。
【００４１】
また、鏡面イベント判別部４０３は、鏡面設定部４０２から鏡面ウィンドウ３２の起動キーの入力が通知されると、鏡面制御プログラム４０４に対して、設定テーブル４０１に登録されたウィンドウサイズ及び位置情報で、表示装置４に鏡面表示するよう通知する。鏡面制御プログラム４０４は、鏡面イベント判別部４０３から鏡面状態への移行が通知されると、通知された登録内容に従って表示装置４への鏡面表示制御を行う。
【００４２】
次に、図９を用いて、鏡面画面の表示に関する設定処理について説明する。図９は、鏡面画面の表示に関する登録処理を示すフローチャート図である。図９に示すように、制御プログラム３００は、ユーザにより鏡面設定画面の表示が指示されると、鏡面設定部４０２を起動する。鏡面設定部４０２は、表示コントローラ２０４を介して、表示指示時にＬＣＤ６に表示されていた画面はそのままに、その前面に図８に示す鏡面設定画面を表示する（ステップＳＴ１０）。
【００４３】
ＳＴ１０で表示された鏡面設定画面に対して、制御プログラム３００を介してユーザによりＫＢ９やタッチパッド２０から各種指示の入力が検知されると、鏡面設定部４０２は、検知された指示入力に応じた処理へと進む。即ち、［キャンセル］ボタン４６または［終了］ボタン４８が選択されると（ステップＳＴ１２のＮｏ、ＳＴ１３のＮｏ、ＳＴ１４のＹｅｓ）、鏡面設定部４０２は、表示装置４から鏡面設定画面の表示を消し、一連の処理を終了する。
【００４４】
ＳＴ１０で表示された鏡面設定画面に対して［適用］ボタンが選択されると（ＳＴ１２のＹｅｓ）、鏡面設定部４０２は、ＬＣＤ６に鏡面設定画面を表示したままの状態で、表示された鏡面設定画面における選択内容と、設定テーブル４０１に記録された設定内容とを比較して、変更の有無を確認する（ステップＳＴ１５）。
【００４５】
鏡面設定部４０２は、ＳＴ１５の確認の結果、変更なしと判断されると（ステップＳＴ１６のＮｏ）、ＳＴ１２の処理へと戻り、変更ありと判断されると（ＳＴ１６のＹｅｓ）、設定テーブル４０１にアクセスして、変更された内容に従って、設定内容を書き換える（ステップＳＴ１７）。
【００４６】
ＳＴ１０で表示された鏡面設定画面に対して［ＯＫ］ボタンが選択されると（ＳＴ１２のＮｏ、ＳＴ１３のＹｅｓ）、鏡面設定部４０２は、ＬＣＤ６に表示された鏡面設定画面を消して、背面に隠れていた画面を表示するとともに、表示された鏡面設定画面における選択内容と、設定テーブル４０１に記録された設定内容とを比較して、変更の有無を確認する（ステップＳＴ１８）。
【００４７】
鏡面設定部４０２は、ＳＴ１８の確認の結果、変更なしと判断されると（ステップＳＴ１９のＮｏ）、一連の処理を終了し、変更ありと判断されると（ＳＴ１９のＹｅｓ）、設定テーブル４０１にアクセスして、変更された内容に従って設定内容を書き換えて、一連の処理を終了する（ステップＳＴ２０）。
【００４８】
このように、本実施例では、電子機器の状態に応じて、ユーザの所望するように鏡面状態への切替を容易にカスタマイズすることが可能となる。また、切り替える鏡面状態も表示装置全面からなる鏡面状態と、一部のみを鏡面とする状態とから選択することができ、ユーザの用途に応じた鏡面状態（鏡面範囲）を設定することが可能となる。
【００４９】
次に、図１０に示すフローチャート図を用いて、鏡面制御部４００におけるイベント発生時の鏡面状態への切り替えに関する表示制御処理について説明する。図１０に示すように、鏡面イベント判別部４０３は、各種イベント（ステータスの変化）の発生を検知するため、制御プログラムの状態を監視している。
【００５０】
そして、鏡面イベント判別部４０３は、制御プログラム３００を介して、イベントの発生を検知すると（ステップＳＴ２１）、設定テーブル４０１を参照し、検知した発生イベントが設定テーブル４０１に登録されているステータスに関連するか（鏡面の設定に関するイベントであるか）を判断する（ステップＳＴ２２）。
【００５１】
ＳＴ２２の確認の結果、発生イベントは鏡面設定に関するイベントではないと判断されると（ＳＴ２３のＮｏ）、鏡面イベント判別部４０３は、ＳＴ２１の前段処理へと戻り、待機状態となる。ＳＴ２２の確認の結果、発生イベントは鏡面設定に関するイベントであると判断されると（ＳＴ２３のＹｅｓ）、鏡面イベント判別部４０３は、設定テーブル４０１から、発生イベントに対応するモードを確認する（ステップＳＴ２４）。
【００５２】
即ち、ＳＴ２３で「ハイバネーション」ステータスの発生イベントが検知された場合、設定テーブル４０１には「ノンミラーモード」と登録されているため（ステップＳＴ２５の「ノンミラー」）、鏡面イベント判別部４０３は、鏡面制御プログラム４０４に対して、鏡面状態への切替を指示することなく、ＳＴ２１の前段処理へと戻り、待機状態となる。
【００５３】
ＳＴ２３で「スタンバイ」ステータスの発生イベントが検知された場合、設定テーブル４０１には「全面ミラーモード」と登録されているため（ステップＳＴ２５の「全面」）、鏡面イベント判別部４０３は、鏡面制御プログラム４０４に対して、全面鏡面状態への切替を指示する。鏡面制御プログラム４０４は、表示コントローラ２０４を介して、図３に示すように、表示装置４全面を鏡面状態に切替える（ステップＳＴ２６）。
【００５４】
ＳＴ２３で「スタンバイ」ステータスの発生イベントが検知された場合、設定テーブル４０１には「ミラーウィンドウモード」と登録されているため（ステップＳＴ２５の「ウィンドウ」）、鏡面イベント判別部４０３は、鏡面制御プログラム４０４に対して、設定テーブル４０１に記録されたウィンドウサイズと位置で、鏡面ウィンドウ３２へ切替るよう指示する。
【００５５】
鏡面制御プログラム４０４は、表示コントローラ２０４を介して、図４に示すように、設定テーブル４０１に記録された位置及びウィンドウサイズで、表示装置４の一部を鏡面ウィンドウ３２へと切替える（ステップＳＴ２７）。また、表示装置４のＬＣＤ６におけるその他の部分については、制御プログラム３００から表示コントローラ２０４に対して、発生イベントに応じた表示がなされるようになっている。
このように、本実施例では、予めユーザによって登録された登録内容に基づいて、電子機器の状態変化に応じて、設定された鏡面状態へ自動的に切り替えることが可能となる。
【００５６】
次に、図１１に示すフローチャート図を用いて、鏡面ウィンドウを起動するよう設定された起動ボタンが選択された際の鏡面ウィンドウに関する表示制御処理を説明する。図１１に示すように、制御プログラム３００は、起動方法として設定された入力キー（起動ボタン）が入力されると、鏡面設定部４０２に入力される。
【００５７】
鏡面設定部４０２は、制御プログラム３００を介して起動方法として設定テーブル４０１に設定された入力キーの信号を検知すると、鏡面イベント判別部４０３に鏡面ウィンドウ３２の起動キーが入力された旨を通知する（ステップＳＴ３１）。鏡面イベント判別部４０３は、設定テーブル４０１に記録された鏡面ウィンドウ３２の位置及びウィンドウサイズを読み出し、鏡面制御プログラム４０４に対して、設定テーブル４０１に記録された位置及びサイズで、鏡面ウィンドウへ切替るよう指示する。
【００５８】
鏡面制御プログラム４０４は、図４に示すように、表示コントローラ２０４を介して、表示指示時にＬＣＤ６に表示されていた画面はそのままに、その前面に、設定テーブル４０１に記録された位置及びウィンドウサイズで、表示装置４の一部を鏡面ウィンドウ３２へと切替える（ステップＳＴ３２）。
【００５９】
ここで、制御プログラム３００を介して、鏡面設定部４０２は、鏡面ウィンドウの所定の箇所（例えば上辺付近）がクリックされたことを検知すると、ウィンドウのサイズ変更が指示されたと判断し（ステップＳＴ３３のＹｅｓ）、鏡面制御プログラム４０４に対して、変更指示に応じて鏡面ウィンドウの位置あるいはサイズを切替るよう指示する。鏡面プログラム４０４は、変更指示に応じて表示装置４に表示された鏡面ウィンドウのサイズあるいは位置を変更する（ステップＳＴ３４）。また、鏡面設定部４０２は、変更指示された鏡面ウィンドウのサイズおよび／または表示位置を設定テーブル４０１へ格納する（ステップＳＴ３５）。
【００６０】
制御プログラム３００を介して、鏡面設定部４０２は、ＳＴ３２および／またはＳＴ３４で表示された鏡面ウィンドウに対して、ユーザによりＫＢ９やタッチパッド２０から終了指示の入力が検知されると（ステップＳＴ３６のＹｅｓ）、鏡面イベント判別部４０３を介して、鏡面制御プログラム４０４に対して鏡面ウィンドウから背面画面への切替を指示する。鏡面制御プログラム４０４は、表示装置４から鏡面ウィンドウを消して背面画像を表示するようにし、一連の処理を終了する。
【００６１】
このように、本実施例では、ユーザによって予め登録された起動キーが押下されると、自動的に鏡面状態を表示するようになっており、電子機器の状態にかかわらず、ユーザが希望する時に容易に鏡面表示を行うことが可能となる。また、起動キーによる指示の場合には、一部からなるウィンドウ形式の鏡面表示を行い、その大きさや位置をユーザが自由に変更することができる。
【図面の簡単な説明】
【００６２】
【図１】本発明に係る電子機器としてのノート型パソコンＡの斜視図。
【図２】本発明に係る電子機器としてのＰＤＡ装置Ｂの斜視図。
【図３】表示装置４全面を鏡面状態に切り替えたノート型パソコンＡの斜視図。
【図４】表示装置４の一部を鏡面状態に切り替えたノート型パソコンＡの斜視図。
【図５】ノート型パソコンＡのシステム構成を示すブロック図。
【図６】主要部における表示制御の動作を説明するプログラム構成図。
【図７】設定テーブル４０１に記録された設定内容を示す図。
【図８】鏡面設定画面を示す図。
【図９】鏡面画面の表示に関する登録処理を示すフローチャート図。
【図１０】イベント発生時の鏡面状態への切り替えに関する表示制御処理を示すフローチャート図。
【図１１】鏡面ウィンドウを起動するよう設定された起動ボタンが選択された際の鏡面ウィンドウに関する表示制御処理を示すフローチャート図。
【符号の説明】
【００６３】
Ａ    ノート型パソコン
Ｂ    ＰＤＡ装置
１    本体
６    液晶ディスプレイ、ＬＣＤ
９    キーボード、カーソルボタン、操作ボタン
２０    ポインティングデバイス、カーソルボタン、操作ボタン
３０    画像表示状態
３１    全面を鏡面とした状態
３２    部分的に鏡面とした状態
２０１    ＣＰＵ
３００    制御プログラム
４００    鏡面制御部
４０１    設定テーブル
４０２    鏡面設定部
４０３    鏡面イベント判別部
４０４    鏡面制御プログラム
【図１】
2006154550.tif 000003
【図２】
2006154550.tif 000004
【図３】
2006154550.tif 000005
【図４】
2006154550.tif 000006
【図５】
2006154550.tif 000007
【図６】
2006154550.tif 000008
【図７】
2006154550.tif 000009
【図８】
2006154550.tif 000010
【図９】
2006154550.tif 000011
【図１０】
2006154550.tif 000012
【図１１】
2006154550.tif 000013